(57)【要約】【課題】配管長の長いシステムであっても安定して冷却能力を制御できるシステムを提供する。【解決手段】室内熱交換器１１との間で配管システム３０を介して冷媒３９が自然循環される室外熱交換器２１と、室外熱交換器２１の冷却能力を、室外熱交換器２１から出力される冷媒３９の出口温度が、室内熱交換器２１における冷媒３９の温度を予測した目標温度になるように制御する第１の機能５１と、配管システム３０を介して冷媒３９が室内熱交換器１１に供給されることによる遅れ時間を考慮して室内熱交換器１１における温度を判断し、室内熱交換器１１における温度と目標温度との相関関係を更新する第２の機能５２とを有するシステム６０を提供する。【選択図】図１
2015135207.tif 000002
【特許請求の範囲】
【請求項１】
室内熱交換器との間で配管システムを介して冷媒が自然循環される室外熱交換器と、
前記室外熱交換器の冷却能力を、前記室外熱交換器から出力される冷媒の出口温度が、前記室内熱交換器における冷媒の温度を予測した目標温度になるように制御する第１の制御ユニットとを有するシステム。
【請求項２】
請求項１において、前記室内熱交換器における温度を判断し、前記室内熱交換器における温度と前記目標温度との相関関係を更新する第２の制御ユニットを有するシステム。
【請求項３】
請求項２において、前記第２の制御ユニットは、前記室外熱交換器の状態が安定しているタイミングに対する前記室内熱交換器における温度を判断する機能を含む、システム。
【請求項４】
請求項２または３において、前記第２の制御ユニットは、前記室外熱交換器の器内圧に基づき前記室内熱交換器における冷媒の温度を判断する機能を含む、システム。
【請求項５】
請求項２ないし４のいずれかにおいて、前記第２の制御ユニットは、前記室内熱交換器に流入する冷媒の入口温度に基づいて前記室内熱交換器における冷媒の温度を判断する機能を含む、システム。
【請求項６】
請求項２ないし５のいずれかにおいて、前記第２の制御ユニットは、前記配管システムを介して冷媒が前記室内熱交換器に供給されることによる遅れ時間を定期的に測定する機能を含む、システム。
【請求項７】
請求項１ないし６のいずれかにおいて、前記第１の制御ユニットにより前記室外熱交換器を通過する風量が連続的または間欠的に制御される外気ファン、前記第１の制御ユニットにより冷媒の循環量が制御される流量調節ユニット、および前記第１の制御ユニットにより前記室外熱交換器の熱交換面積が制御される熱交換面積調節ユニットの少なくともいずれかを有する、システム。
【請求項８】
請求項１ないし７のいずれかにおいて、前記室内熱交換器および前記配管システムを有する、システム。
【請求項９】
室内熱交換器との間で配管システムを介して冷媒が自然循環される室外熱交換器を有するシステムを制御する方法であって、
前記室外熱交換器の冷却能力を、前記室外熱交換器から出力される冷媒の出口温度が、前記室内熱交換器における冷媒の温度を予測した目標温度になるように制御することを有する、方法。
【請求項１０】
請求項９において、前記室内熱交換器における温度を判断し、前記室内熱交換器における温度と前記目標温度との相関関係を更新することを有する、方法。
【請求項１１】
請求項１０において、前記更新することは、前記室外熱交換器の状態が安定しているタイミングに対する前記室内熱交換器における温度を判断することを含む、方法。
【請求項１２】
請求項１０または１１おいて、前記更新することは、前記室外熱交換器の器内圧に基づき前記室内熱交換器における冷媒の温度を判断することを含む、方法。
【請求項１３】
請求項１０ないし１２のいずれかにおいて、前記更新することは、前記室内熱交換器に流入する冷媒の入口温度に基づいて前記室内熱交換器における冷媒の温度を判断することを含む、方法。
【発明の詳細な説明】
【技術分野】
【０００１】
本発明は、室外熱交換器と室内熱交換器との間で冷媒を自然循環させるシステムに関するものである。
【背景技術】
【０００２】
特許文献１には、筐体の外部温度が極低温となる場合であっても、筐体内の温度変化を小さくする。また、加熱器によって筐体内を加熱する場合に生じる熱損失を防止する技術が開示されている。特許文献１の沸騰冷却装置は、冷媒と内部空気との間での熱交換により、冷媒を沸騰気化させることで、筐体の内部空気を冷却する蒸発器、冷媒と外部空気との熱交換により、冷媒を凝縮させることで、冷媒の熱を筐体の外部空気に放出する凝縮器および蒸発器と凝縮器との間で冷媒を循環させる経路を構成する冷媒配管を、それぞれ有し、互いに独立して構成される第１、第２冷媒回路を備える。この沸騰冷却装置において、第１、第２冷媒回路に冷媒の循環を停止する電磁バルブをそれぞれ設け、筐体の内部空気温度を検出する内気温度検出手段を設け、制御基板に、内気温度検出手段の検出温度が低下した場合に、電磁バルブによって、第１、第２冷媒回路の一方の冷媒循環を停止させる制御を実行させる。
【先行技術文献】
【特許文献】
【０００３】
【特許文献１】特開２００８−２４１２３２号公報
【発明の概要】
【発明が解決しようとする課題】
【０００４】
特許文献１の沸騰冷却装置は、蒸発器で室内空気（内部空気）との熱交換により沸騰気化された冷媒が冷媒配管で循環され、凝縮器で外気（外部空気）との熱交換により凝縮される、いわゆる自然循環型の冷却装置であり、コンプレッサなどの動力が不要で低コストで外気を用いた冷房が行える。この自然循環型の冷房装置（冷房システム）を、たとえばサーバルームに適用する場合、結露防止のために室内側の蒸発器（室内熱交換器）に供給される冷媒の温度を露点以上に保つなどの温度制御が行われる。したがって、冷媒の温度を制御するためには、外気との熱交換の状態をさらに安定して精度よく制御することが要望されている。
【課題を解決するための手段】
【０００５】
本発明の一態様は、室内熱交換器との間で配管システムを介して冷媒が自然循環される室外熱交換器と、室外熱交換器の冷却能力を、室外熱交換器から出力される冷媒の出口温度が、室内熱交換器における冷媒の温度を予測した目標温度になるように制御する第１の制御ユニットとを有するシステムである。
【０００６】
このシステムにおいては、室内熱交換器における冷媒の温度、たとえば入口温度が変化したり、設定値に対して差分があると、それにより室外熱交換器の冷却能力を制御するのではなく、まず、室外熱交換器の冷媒の出口温度の設定値を、室内熱交換器における冷媒の温度を予測した目標温度に設定し、室外熱交換器の冷却能力を冷媒の出口温度により制御する。
【０００７】
室内熱交換器における冷媒の温度が低下する要因の１つは、外気温度が低下することであり、それに対して冷媒温度を一定に保つための方策として、たとえば、外気ファンの回転数を低下することが考えられる。しかしながら、配管システムを介して冷媒が供給されるので、外気温度が低下して冷媒温度が低下しても室内熱交換器入口冷媒温度が低下するのは一定の時間が経過した後である。このため、配管システムの全長が長い等の原因により、温度変化の遅延時間が長い場合は、室内熱交換器の冷媒の入口温度を目標に室外熱交換器の冷却能力を制御すると、冷媒の入口温度を所定の範囲内に制御することが難しくなる。一方、室外熱交換器の出口冷媒温度を一定に保持する制御では、配管システムを流れる冷媒が外気や室内の温度により影響をうけるので、室内熱交換器の冷媒の入口温度を目標の温度に保持することは難しい。
【０００８】
上記のシステムにおいては、冷媒の室外熱交換器の出口温度を一定ではなく、室内熱交換器における冷媒の温度を予測した目標温度になるように制御する。したがって、配管システムによる遅延が大きなシステムであっても、室内熱交換器における冷媒の温度が安定して制御できる。室内熱交換器における冷媒の温度を予測した目標温度は、外気、冷媒の流量、システムの器内圧などを要素として、予めシミュレーションしたり、事前にさまざまな条件を設定して計測を繰り返すことにより求めてもよい。
【０００９】
このシステムは、室内熱交換器における温度を判断し、室内熱交換器における温度と目標温度との相関関係を更新する第２の制御ユニットを有することが望ましい。第２の制御ユニットは、配管システムを介して冷媒が室内熱交換器に供給されることによる遅れ時間を考慮して室内熱交換器における温度を判断してもよく、条件が安定していれば遅れ時間を考慮しなくてもよい。出口温度を目標温度に制御することにより配管システムによる遅延時間が長いシステムであっても、外気の変化などに即時対応して室内の入口温度を安定に制御できる。室外の出口温度を目標温度に制御した場合の室内の入口温度と、目標とする室内の入口温度との間に温度差がある場合は、第２の制御ユニットにより配管システムによる遅延時間またはそれ以上の遅れはあるが、簡単にその温度差を補正した目標温度に更新できる。
【００１０】
第２の制御ユニットは、室外熱交換器の状態が安定しているタイミングに対する室内熱交換器における温度を判断する機能を含むことが好ましい。判断する機能は、室外熱交換器の状態が安定しているタイミングに対する遅れ時間を考慮して室内熱交換器における温度を判断する機能を含んでいてもよい。室外交換器の制御が安定したタイミングに対応した室内熱交換器における冷媒の温度を測定して補正することにより室外熱交換器をさらに精度よく制御できる。
【００１１】
第２の制御ユニットは、室外熱交換器の器内圧に基づき室内熱交換器における冷媒の温度を判断する機能を含んでいてもよい。室外熱交換器の器内圧と室内熱交換器の器内圧とはほぼ同一になるので、器内圧を飽和蒸気圧とする冷媒の温度を室内熱交換器における冷媒温度として求めることができる。このため、室内熱交換器側との通信を省略したり通信量を削減できる。第２の制御ユニットは、室内熱交換器に流入する冷媒の入口温度に基づいて室内熱交換器における冷媒の温度を判断してもよい。第２の制御ユニットは、さらに、遅れ時間を定期的に測定する機能を含んでいてもよい。
【００１２】
室外熱交換器の冷却能力を制御する手段の一例は、第１の制御ユニットにより室外熱交換器を通過する風量が連続的または間欠的に制御される外気ファン、第１の制御ユニットにより冷媒の循環量が制御される流量調節ユニット、第１の制御ユニットにより室外熱交換器の熱交換面積が制御される熱交換面積調節ユニットであり、システムは、これらのうち少なくともいずれかを有することが望ましい。
【００１３】
このシステムは、室外熱交換器を中心とするシステムとして流通してもよく、また、室内熱交換器および配管システムを有するシステムとして設置あるいは施工されてもよい。さらに、システムは、室外熱交換器、室内熱交換器および配管システムを含むサーバルーム、コンテナ、建屋などの設備（建築設備）であってもよい。
【００１４】
本発明の他の態様の１つは、室内熱交換器との間で配管システムを介して冷媒が自然循環される室外熱交換器を有するシステムを制御する方法である。この方法は、以下のステップを含む。
１．室外熱交換器の冷却能力を、室外熱交換器から出力される冷媒の出口温度が、室内熱交換器における冷媒の温度を予測した目標温度になるように制御すること。
【００１５】
さらにこの方法は以下のステップを含むことが望ましい。
２．室内熱交換器における冷媒の温度と目標温度との相関関係を更新すること。
【００１６】
このステップ２は、配管システムを介して冷媒が室内熱交換器に供給されることによる遅れ時間を考慮して、室内熱交換器における冷媒の温度と目標温度との相関関係を更新してもよい。室外熱交換器の状態が安定しているタイミングに対する遅れ時間を考慮して室内熱交換器における冷媒温度を判断することが望ましい。また、このステップ２では、室外熱交換器の器内圧に基づき室内熱交換器における冷媒の温度を判断してもよく、室内熱交換器に流入する冷媒の入口温度に基づいて室内熱交換器における冷媒の温度を判断してもよい。また、遅れ時間を定期的に測定するステップを含んでいてもよい。
【図面の簡単な説明】
【００１７】
【図１】サーバルームと冷却システムとを含む建屋の概要。
【図２】制御ユニットによる制御の概要を示すフローチャート。
【図３】冷房システムの運転の一例を示す図。
【図４】冷房システムの運転の他の例を示す図。
【発明を実施するための形態】
【００１８】
図１に、サーバルームと冷却システムとを含む建屋の概要を示している。この建屋１は、１階にサーバルーム２が設けられており、サーバルーム２には、サーバ５と屋内ユニット（室内ユニット）１０とが設置されている。建屋１の屋上３には屋外ユニット（室外ユニット）２０が設置されており、屋外ユニット２０と屋内ユニット１０とは冷媒３９が循環する配管システム３０により接続されている。
【００１９】
屋内ユニット１０は、室内熱交換器（屋内熱交換器（室外ファン）、室内熱交換ユニット）１１と、室内温度を設定するパネル１２とを含む。室内熱交換器１１は、室内空気と冷媒との間で熱交換が行われる複数のチューブ１５と、複数のチューブ１５の下端が繋がった入口ヘッダー（下部ヘッダー）１６と、複数のチューブの上端が繋がった出口ヘッダー（上部ヘッダー）１７とを含む。液状の冷媒３９が下部の入口ヘッダー１６から流入し、チューブ１５内で沸騰した後、気化した冷媒３９が上部の出口ヘッダー１７から出力される。屋内ユニット１０は、さらに入口ヘッダー１６に流入する冷媒３９の温度（室内の入口温度）Ｅｉｗを測定する温度計１３を含む。
【００２０】
屋外ユニット２０は、室外熱交換器（屋外熱交換器、室外熱交換ユニット）２１と、室外熱交換器２１に外気を強制的に供給する外気ファン(室外ファン）２２とを含む。室外熱交換器２１は、外気と冷媒との間で熱交換が行われる複数のチューブ２５と、複数のチューブ２５の上端が繋がった入口ヘッダー（上部ヘッダー）２６と、複数のチューブの下端が繋がった出口ヘッダー（下部ヘッダー）２７とを含む。気化した冷媒３９が上部の入口ヘッダー２６から流入し、チューブ２５内で液化した後、液状の冷媒３９が下部の出口ヘッダー２７から出力される。屋外ユニット２０は、さらに出口ヘッダー２７から流出する冷媒３９の温度（室外の出口温度）Ｅｏｗを測定する温度計２３と、流出する冷媒量を制御する制御弁２４と、室外熱交換器２１の器内圧を測定する圧力計２９と、屋外ユニット２０に含まれる機器を制御する制御ユニット（制御パネル）５０とを含む。この例では、圧力計２９は入口ヘッダー２６に取り付けられている。
【００２１】
配管システム３０は、室外熱交換器２１の出口ヘッダー２７と室内熱交換器１１の入口ヘッダー１６とを連通する液冷媒管３１と、室内熱交換器１１の出口ヘッダー１７と室外熱交換器２１の入口ヘッダー２６とを連通するガス冷媒管３２とを含む。室外熱交換器２１は、配管３１および３２で接続された室内熱交換器１１よりも高い位置に配置されており、室外熱交換器２１で外気と熱交換して液化された冷媒３９は、液冷媒管３１を介して重力および器内圧差で室内熱交換器１１に供給される。室内熱交換器１１において室内熱負荷により気化したガス冷媒は、ガス冷媒管３２を介して比重差で室外熱交換器２１に供給され、外気により液化される。
【００２２】
したがって、室外熱交換器２１、配管システム３０および室内熱交換器１１とを含む空調システム（冷房システム）６０においては、冷媒３９が室内熱交換器１１および室外熱交換器２１を自然循環する。このため、コンプレッサは不要であり、コンプレッサを稼働するために必要な電力を省くことができる。また、室外熱交換器２１の熱負荷が小さい場合や、風速が十分である場合は外気ファン２２を減速または停止することにより外気ファン２２を稼働するために必要な電力も省くことができる。したがって、外気の条件によってはほとんど電力消費なしに室内（サーバールーム）２を、外気導入せずに、冷媒を介して間接的に冷房できる。
【００２３】
屋外ユニット２０を制御する制御ユニット５０は、外気ファン２２および／または制御バルブ（制御弁）２４により冷却能力を制御する第１の機能（第１の制御ユニット、冷却能力制御ユニット）５１と、第１の機能５１に設定されるターゲットの温度（目標温度）Ｅｏｔを制御する第２の機能（第２の制御ユニット、目標温度制御ユニット）５２とを含む。第１の機能５１は、設定される目標温度Ｅｏｔを目標に、温度計２３から得られる冷媒３９の出口温度Ｅｏｗを制御対象として、外気ファン２２の回転数を制御したり、オンオフを制御することにより屋外ユニット２０に含まれる室外熱交換器２１の冷却能力を制御する温度制御機能５３を含む。温度制御機能５３は、ＰＩＤ制御、Ｐ制御、ＰＩ制御、ファジー制御などの公知の制御手法のいずれを備えていてもよく、それらを組み合わせて使用してもよい。温度制御機能５３は、制御弁２４により冷媒３９の循環量を調整することにより室外熱交換器２１の伝熱面積を変えて室外熱交換器２１の冷却能力を制御してもよい。
【００２４】
第２の機能５２は、室内熱交換器１１における冷媒３９の温度、たとえば、冷媒３９の室内熱交換器１１の入口温度Ｅｉｗの設定値（室内の目標温度）Ｅｉｔに対して以下の式（１）により、目標温度Ｅｏｔを求める温度設定機能（温度設定ユニット）５７と、室外熱交換器２１の出口の冷媒温度変化に対する室内熱交換器１１の入口の冷媒温度変化の遅延時間ｔｄを判断する遅延時間更新機能（遅延時間設定ユニット）５５と、室内熱交換器１１における冷媒の温度（入口温度）Ｅｉｗ（Ｅｉｔ）と室外熱交換器２１の出口温度Ｅｏｗ（Ｅｏｔ）との相関関係（本例ではオフセット値β）を求め、室内熱交換器１１における冷媒温度Ｅｏｗを予測した目標温度Ｅｏｔを算出可能とするオフセット値更新機能（オフセット値設定ユニット）５６とを含む。オフセット値更新機能５６は、室外熱交換器２１の運転状況を判断する機能５６ａを含み、室外熱交換器２１の運転状況が外乱、たとえば、外気温の急激な変化、風量の急激な変化、天候の急激な変化による過渡的な状態ではなく、外乱からある程度の時間が経過して冷媒の出口温度Ｅｏｗが安定し、外気ファン２２の運転状況が安定していることを確認する。オフセット値更新機能５６は、室外熱交換器２１の運転状況が安定し、かつ、室外熱交換器２１の出口冷媒温度Ｅｏｗが目標温度Ｅｏｔに安定した後で、さらに遅延時間ｔｄが経過した後に室内熱交換器１１の入口温度Ｅｉｗと室内の目標温度Ｅｉｔとの差分ΔＥに基づいて、オフセット値βを求める。
Ｅｏｔ  ＝  Ｅｉｔ＋β  ・・・・・（１）
【００２５】
制御ユニット５０の一例はＣＰＵとメモリとを含むコンピュータであり、以下に示す制御を行うプログラム（プログラム製品）をロードして実行することにより上記の機能を制御ユニット５０に実装することができる。
【００２６】
図２に、屋外ユニット２０の制御ユニット５０による制御の概要をフローチャートにより示している。空調システム６０がスタートまたはリセットされると、ステップ７１において初期のパラメータが設定される。この際、初期の室内熱交換器１１における冷媒温度（室内目標温度）Ｅｉｔが初期設定され、オフセット値βも初期設定される。ステップ７２において、空調システム６０の運用中に、屋内ユニット１０の制御パネル１２などで室内の温度設定が変更されると、ステップ７３において室内目標温度Ｅｉｔも再設定される。ステップ７４において、温度設定機能５７が、室内目標温度Ｅｉｔおよびオフセット値βにより、式（１）に基づいて室外熱交換器２１の出口温度の目標値（目標温度、室外目標温度）Ｅｏｔを計算し、第１の機能５１にセットする。この室外目標温度Ｅｏｔは、その温度の冷媒３９が室外熱交換器２１から出力され、配管システム３０を介して室内熱交換器１１に至ったときに室内熱交換器１１の入口における温度（入口温度）Ｅｉｗが室内目標温度Ｅｉｔになることを予測した温度である。
【００２７】
ステップ７６において、第１の機能５１の温度制御機能５３が、室外熱交換器２１の出口冷媒温度Ｅｏｗを室外目標温度Ｅｏｔになるように外気ファン２２の回転数を制御する。温度制御機能５３は、外気ファン２２をオンオフ制御してもよく、制御弁２４を用いて冷媒３９の循環量を調整して室外熱交換器２１の伝熱面積を制御してもよい。室外熱交換器２１が外気に触れる面積を制御するダンパー、その他の伝熱面積を制御する手段が屋外ユニット２０に用意されていれば、温度制御機能５３はそれらの機能を制御してもよい。典型的には、温度制御機能５３は、外気ファン２２の回転数をＰＩＤ制御する。
【００２８】
ステップ７７において、室外熱交換器２１の出口冷媒温度Ｅｏｗが室外目標温度Ｅｏｔに一致する、または所定の範囲内になるように制御が繰り返される。出口冷媒温度Ｅｏｗが室外目標温度Ｅｏｔに一致または所定の範囲内になり、ステップ７７ａにおいて、運転状況を判断する機能５６ａが室外熱交換器２１に関する制御が安定していると判断すると、遅延時間ｔｄが経過した後のオフセット値（差分）βを求めて更新する作業を開始する。
【００２９】
まず、ステップ７８において、所定の時刻になったり、所定の運転時間が経過して遅延時間ｔｄの測定が必要であると、遅延時間更新機能５５が判断すると、遅延時間更新機能５５は、ステップ７９において遅延時間ｔｄを測定する。測定方法の１つは、外気ファン２２を短時間停止することにより、出口冷媒温度Ｅｏｗを意図的または強制的に短時間だけ上昇し、その影響が室内熱交換器１１の冷媒入口温度Ｅｉｗに表れるまでの時間を計測することである。冷媒入口温度Ｅｉｗを温度計１３により計測する代わりに、室外熱交換器２１に設けられた圧力計２９により器内圧が上昇する時間を計測することにより遅延時間ｔｄを求めてもよい。また、本ステップについては、想定される最大遅延時間を予め計測する等しておくことで、遅延時間ｔｄが最大遅延時間より大きな値となる固定値として、初期設定して定数として制御に使用しても良い。
【００３０】
出口冷媒温度Ｅｏｗが室外目標温度Ｅｏｔに一致または所定の範囲内となりステップ８０において、十分な時間が経過した後、冷媒温度の制御が安定しているとオフセット値更新機能５６が判断すると、オフセット値更新機能５６が、ステップ８１において、室内冷媒温度Ｅｉｗが室内目標温度Ｅｉｔに一致または所定の範囲内にあるか否かを判断する。オフセット値更新機能５６は、室内冷媒温度Ｅｉｗの値を、室内熱交換器１１の冷媒入口に設けられた温度計１３から取得してもよいし、室外熱交換器２１に設けられた圧力計２９により冷媒３９の器内圧を測定し、その飽和温度を計算したり、ルックアップテーブルから求めてもよい。
【００３１】
オフセット値の変更時には、冷媒３９の温度が安定制御できている必要がある。このため、ステップ８０においては、冷媒３９の温度が安定していることを、例えば、以下の２つの条件を同時に満たすか否かにて判定する。
１．出口冷媒温度Ｅｏｗと室外目標温度Ｅｏｔが等しいこと。
２．室外ファン２２の回転数の変更がないこと。
上記の冷媒温度の安定条件は一例であり、冷媒温度の安定を確認する条件はこれらに限定されない。  
【００３２】
ステップ８０において、オフセット値更新機能５６は、遅延時間ｔｄを積極的に取り入れてもよい。この場合、冷媒３９の温度は、配管システム３０による遅延があるので、オフセット値更新機能５６は、時刻ｔｉの室外目標温度Ｅｏｔ（ｔｉ）を目標として室内目標温度Ｅｉｔ（ｔｉ）と、時刻ｔｉから遅延時間ｔｄ後の室内冷媒温度Ｅｉｗ（ｔｉ＋ｔｄ）とを比較する。このため、オフセット値更新機能５６は、室内目標温度Ｅｉｔまたは室外目標温度Ｅｏｔおよびオフセット値βの履歴を保存するメモリを備えていることが望ましく、少なくとも遅延時間ｔｄ分の履歴を記憶しておくことが望ましい。あるいは、適当なインターバル、たとえば２０分間隔で２０分前の室内目標温度Ｅｉｔと、室内冷媒温度Ｅｉｗとを比較してもよい。更新の要否を判断するタイミングが遅延時間ｔｄよりも十分に長くとれる場合は遅延時間ｔｄの経過を特に考慮しなくてもよい。
【００３３】
オフセット値更新機能５６は、室内目標温度Ｅｉｔと室内冷媒温度Ｅｉｗとに差があれば、ステップ８２においてその差分ΔＥｉを求め、ステップ８３において以下の式（２）を用いてオフセット値βを更新する。
β  ＝  β０＋Ｋ×ΔＥｉ  ・・・・・（２）
０＜Ｋ≦１
なお、係数Ｋは上記の範囲でシステムの応答性に合わせて決定され、たとえば１／２である。また、係数β０は、前回算出した係数βを示す。
【００３４】
発明者らの測定によると、配管システム３０の長さが２０ｍ程度で１５０秒程度の遅れ（遅延時間）ｔｄがあり、４０ｍ程度になると遅延時間ｔｄは４００秒程度になる。自然循環型の冷房システム６０において、配管システム３０の長さは８０ｍまたはそれ以上になるケースがあり、遅延時間は１０分程度またはそれ以上になる可能性がある。
【００３５】
応答遅れが数１０秒を超えるとシステムが安定するのに１０分から数１０分がかかり、応答遅れが５分を超えるとシステムを安定して制御することが非常に難しくなる。冷房システム６０においては、室内熱交換器１１における冷媒温度Ｅｉｗと、設定値である室内目標温度Ｅｉｔとの間に差があると、それにより室外熱交換器２１の冷却能力を制御するのではなく、まず、室外熱交換器２１の冷媒出口温度Ｅｏｗの設定値である室外目標温度Ｅｏｔを、室内目標温度Ｅｉｔを予測した温度に設定し、室外熱交換器の冷却能力を冷媒の出口温度Ｅｏｗをターゲットに制御する。冷媒の出口温度Ｅｏｗは制御対象である室外熱交換器２１の出口温度であるので応答時間は短く、たとえば、数１０秒以下であり、システム、この場合は、室外熱交換器２１を含む屋外ユニット２０を極めて安定して制御できる。
【００３６】
図３および図４に、冷房システム６０における冷媒温度の変化の一例を示している。図３では、時刻ｔ０に、冷房システム６０が異なる運転モードから室外目標温度Ｅｏｔを用いた制御に切り替わったとする。初期のオフセット値βは「０」であり、時刻ｔ０に、ターゲットの室内目標温度Ｅｉｔに対して同じ値の室外目標温度Ｅｏｔが設定される。屋外ユニット２０においては、温度制御機能５３は、室外熱交換器２１の冷媒出口温度Ｅｏｗが室外目標温度Ｅｏｔになるように外気ファン２２を制御する。
【００３７】
時刻ｔ０から遅延時間ｔｄ後の時刻ｔ１に、室内熱交換器１１の冷媒入口温度Ｅｉｗが変化し、室内熱交換器１１の状態が変わる。その後、時刻ｔ０から遅延時間ｔｄに対して十分な時間的余裕を持った時刻ｔ２に、上述した冷媒温度の安定条件を確認する。冷媒温度の安定条件が確認されると、室内冷媒温度Ｅｉｗと室内目標温度Ｅｉｔの乖離を計測し、オフセット値βを更新する。これにより室外目標温度Ｅｏｔが変化し、出口冷媒温度Ｅｏｗが変化する。続いて、遅延時間ｔｄが経過した時刻ｔ３に室内冷媒温度Ｅｉｗが変化し、室内目標温度Ｅｉｔに近づく。
【００３８】
図４では、時刻ｔ１０に、冷房システム６０の室内側の設定値が変わった場合を示している。初期のオフセット値βは「０」であり、時刻ｔ１０に、ターゲットの室内目標温度Ｅｉｔに対して同じ値の室外目標温度Ｅｏｔが設定される。屋外ユニット２０においては、温度制御機能５３は、室外熱交換器２１の冷媒出口温度Ｅｏｗが室外目標温度Ｅｏｔになるように外気ファン２２を制御する。
【００３９】
時刻ｔ１０から遅延時間ｔｄ後の時刻ｔ１１に、室内熱交換器１１の冷媒入口温度Ｅｉｗが変化し、室内熱交換器１１の状態が変わる。その後、時刻ｔ１０から遅延時間ｔｄに対して十分な時間的余裕を持った時刻ｔ１２に、上述した冷媒温度の安定条件を確認する。冷媒温度の安定条件が確認されると、室内冷媒温度Ｅｉｗと室内目標温度Ｅｉｔの乖離を計測し、オフセット値βを更新する。これにより室外目標温度Ｅｏｔが変化し、出口冷媒温度Ｅｏｗが変化する。続いて、遅延時間ｔｄが経過した時刻ｔ１３に室内冷媒温度Ｅｉｗが変化し、室内目標温度Ｅｉｔに近づく。  
【００４０】
以上に説明したように、室内外機を接続する中継配管（配管システム）３０が長くなるにつれて、室外機熱交換量の調整や冷媒流量の調整の結果としての冷媒回路温度の反応が遅れる挙動を示し、冷却能力の制御がオーバーシュー卜して安定しなくなる傾向が見られる。また、この冷媒回路温度の反応時間は、室内外機の中継配管長、および室内外機の温度差によって変化するため、世の中の全ての設置環境において合致する、現実的に使用可能な固有の制御パラメータは存在せず、そのような方法で対応するには、非常に大きな冗長性を持たせた制御とする必要がある。また、能力制御の安定化のために、制御パラメータに非常に大きな冗長性をもたせることは、外気温度の変化や自然風による室外機熱交換性能の変化などの外乱に対しての応答性を遅らせることになり、そもそもの目的である、安定した能力制御のための応答性が犠牲になるという問題がある。
【００４１】
上記の冷房システム６０においては、主たる能力制御手段を備える室外機（屋外ユニット）２０の出口冷媒回路上に、冷媒状態を検出する手段、本例では温度計２３を設け、室外熱交換器２１から室内熱交換器１１に戻る冷媒３９の状態を検出し、その室外熱交換器２１の側の温度を制御することで、室内熱交換器１１と室外熱交換器２１とを接続する配管システム３０の中継配管の長さに関わらず、室外熱交換器２１側での熱交換能力を安定して制御する。その上で、室内熱交換器１１の入口での冷媒の状態を温度計１３または器内圧２９から予測、計算し、室外熱交換器２１での能力制御に補正を加えることで安定的に能力を制御する構成としている。
【００４２】
冷媒状態を検出する手段としては、上記では、主に配管外周部に取り付けた温度センサを想定しているが、冷媒状態を検出可能であれば、圧力、密度、比重等、その他のセンサによる検出であってもよい。また、室内熱交換器１１の入口の冷媒状態（冷媒温度）Ｅｉｗを予測計算する手段としては、室内熱交換器の入口冷媒回路上に冷媒状態を検出する手段を設け、直接計測により冷媒状態を計算する方法が確実である。また、冷媒の状態を冷媒圧力または密度によって検出することも可能であり、冷媒の飽和温度(沸騰温度)を直接計算することにより、室内熱交換器１１の入口の冷媒状態を検出する必要がなくなるというメリットがある。もちろん、これら複数の手段により冷媒の状態を測定あるいは推定してもよい。
【００４３】
室内熱交換器１１の入口冷媒状態の遅れは、一定時間毎に室外熱交換器２１の側の制御を変えて、室内熱交換器１１の側の冷媒温度の応答時間を計測することで更新できる。冷媒温度の応答遅れ時間ｔｄを、配管システム３０の配管長、外気温、日射などのパラメータに基づいて計算することで、室内熱交換器１１の側の冷媒状態を予測し、室外熱交換器２１の冷却能力制御を最適化してもよい。いずれにしても、室外熱交換器２１の短時間の制御は、室外熱交換器２１の側でクローズした制御にすることにより、制御を安定化でき、室外熱交換器２１から室内熱交換器１１に戻される冷媒３９の状態(温度)を安定して制御することが可能となる。その際に、能力制御と冷媒温度の応答には制御上問題になるような遅れ時間は発生しない。このため、室内熱交換器１１と室外熱交換器２１とを接続する中継配管の長さに関わらず安定した能力制御を実施することが可能となる。
【００４４】
また、室外熱交換器２１と室内熱交換器１１とをつなぐ配管システム３０の中継配管の長さに応じて、室外熱交換器２１を出た冷媒３９の温度が室内熱交換器１１に戻る際に、配管周囲の温度の影響を受けても、それを補償した状態で室内側の冷媒温度を安定して制御できる。
【００４５】
また、上記の式（１）は、室外熱交換器２１の冷媒状態から室内熱交換器１１の入口冷媒状態を予測計算する方法の一例であり、上記の式に限られない。関数は、中継配管の長さを含んだものであってもよく、外気温を含んだものであってもよく、関数の代わりに予め計算あるいはシミュレーションにより得られたオフセット値をルックアップテーブルなどで制御機器に設定しておいてもよい。
【００４６】
また、中継配管長と室内外温度差から、室外熱交換器２１の冷媒出口温度Ｅｏｗと室内熱交換器１１の冷媒入口温度Ｅｉｗとの温度ズレ分を補正するテーブルを別途制御装置内に組み込んでおいてもよい。また、遅れ時間ｔｄについても、配管システム３０の中継配管の長さから予測される値をあらかじめ制御機器に入力しておいてもよい。中間配管の長さ、室内外温度差などから応答遅れ時間ｔｄを予測するテーブルを別途制御装置内に組み込んでおいてもよい。
【符号の説明】
【００４７】
２  サーバルーム、  １１  室内熱交換器、  ２１  室外熱交換器
５０  制御ユニット
【図１】
2015135207.tif 000003
【図２】
2015135207.tif 000004
【図３】
2015135207.tif 000005
【図４】
2015135207.tif 000006